(57)【要約】      （修正有）【課題】ウォッシャーノズルにおいて防塵対策を施工することで、ボディ形状に関わらず容易にウォッシャーノズルの目詰まりを防止する。【解決手段】洗浄液を噴射口部から噴射するノズルと、ノズルに洗浄液を供給する供給路を有する頭部と、頭部の供給路に連通して洗浄液を供給する管路を有し、ウォッシャーノズル用の取付部位に挿着されるボディとで構成されるウォッシャーノズルにおいて、ノズル２ｄにおける噴射用の水路は、前方の噴射口部２ａにおける水路と、該噴射口部２ａの後方に位置して前記噴射口部２ａにおける水路と頭部の供給路とを連通させる防塵用水路２ｋとでなり、防塵用水路２ｋは、前記噴射口部２ａにおける水路に連通する主水路２ｅと、該主水路２ｅの周囲に前後方向に沿った隔壁で区画されて周方向に配設されるとともに主水路２ｅと半径方向で連通されている一つまたは複数の補助水路２ｆとで構成されるウォッシャーノズル１。【選択図】図１−Ａ
2018027720.tif 000002
【特許請求の範囲】
【請求項１】
洗浄液を噴射口部から噴射するノズルと、該ノズルを支持するとともに前記ノズルに洗浄液を供給する供給路を有する頭部と、該頭部を支持するとともに前記頭部の供給路に連通して洗浄液を供給する管路を有し、ウォッシャーノズル用の取付部位に挿着されて固定されるボディとで構成されるウォッシャーノズルにおいて、
前記ノズルにおける噴射用の水路は、
前方の噴射口部における水路と、
該噴射口部の後方に位置して前記噴射口部における水路と前記頭部の供給路とを連通させる防塵用水路とが設けられてなり、
前記防塵用水路は、前記噴射口部における水路に連通する主水路と、該主水路の周囲に前後方向に沿った隔壁で区画されて周方向に配設されるとともに前記主水路と半径方向で連通されている一つまたは複数の補助水路とで構成されていること、
を特徴とするウォッシャーノズル。
【請求項２】
主水路と補助水路とを連通させる連通部の巾の寸法は、噴射口部の口径または巾よりも狭い寸法であること、
を特徴とする請求項１に記載のウォッシャーノズル。
【請求項３】
主水路と噴射口部とは、いずれか一方が、若しくは、両方共に、複数設けられていること、
を特徴とする請求項１または２に記載のウォッシャーノズル。
【請求項４】
洗浄液を噴射口部から噴射するノズルと、該ノズルを支持するとともに前記ノズルに洗浄液を供給する供給路を有する頭部と、該頭部を支持するとともに前記頭部の供給路に連通して洗浄液を供給する管路を有し、ウォッシャーノズル用の取付部位に挿着されて固定されるボディとで構成されるウォッシャーノズルにおいて、
前記ノズルにおける噴射用の水路は、
前方の噴射口部における水路と、
該噴射口部の後方に位置して、前記噴射口部における水路と前記頭部の供給路とを連通させるように、周方向に隔壁で区画された複数の補助水路で構成される防塵用水路とでなること、
を特徴とするウォッシャーノズル。
【請求項５】
噴射口部における水路と防塵用水路とを連通させる連通部の巾の寸法は、噴射口部の口径または巾よりも狭い寸法であること、
を特徴とする請求項４に記載のウォッシャーノズル。  
【請求項６】
噴射口部が複数設けられていること、
を特徴とする請求項４または５に記載のウォッシャーノズル。
【請求項７】
ノズルの噴射口部は、洗浄液を直線状に噴射するジェットタイプ、または、洗浄液を左右に扇状に噴射する拡散タイプであること、
を特徴とする請求項１乃至６いずれか１項に記載のウォッシャーノズル。
【請求項８】
防塵用水路を形成する水路部品が、ノズル本体の一部に該ノズル本体とは別物品として嵌合されるものであること、
を特徴とする請求項１または請求項４に記載のウォッシャーノズル。
【発明の詳細な説明】
【技術分野】
【０００１】
本発明は、自動車のガラス等に洗浄液を噴射するウォッシャーノズルに関するものである。
【背景技術】
【０００２】
図８（Ａ）〜（Ｄ）に示すように、前記ウォッシャーノズル１は、  洗浄液７（図９参照）を噴射口部２ａから噴射するノズル２と、該ノズル２を支持するとともに前記ノズル２に洗浄液７を供給する供給路を有する頭部３と、該頭部３を支持するとともに前記頭部３の供給路に連通して洗浄液７を供給する管路を有し、自動車のボンネットなどにおけるウォッシャーノズル用の取付部位に挿着されて固定されるボディ４とで構成される。
【０００３】
前記ノズル２の噴射水路を構成するのは、噴射口部２ａにおける水路と、供給水路２ｂだけであり、例えば、水路が分岐されて噴射口部２ａが複数設けられている場合でも、図８（Ｅ）に示すように、供給路２ｂは一つである。
【先行技術文献】
【特許文献】
【０００４】
【特許文献１】特許第３７６８１１６号公報
【発明の概要】
【発明が解決しようとする課題】
【０００５】
図９に示すように、例えば、ウォッシャータンク内に異物６が混入して、該異物６が、ウォッシャーノズル１の頭部３におけるノズル２まで流れてしまうと、供給水路２ｂと、噴射口部２ａにおける水路とでなる噴射用の水路２ｃにおいて、前記異物６が詰まってしまい、洗浄液７の噴射ができなくなるおそれがある。
【０００６】
そこで、特許文献１に記載されているように、前記頭部３の供給路、若しくは、ボディ４の管路において、若しくはこれらの途中において、フィルター手段を設けることで異物の侵入を防ぐことが知られている。しかしながら、ウォッシャーノズルの車両搭載位置も多様であり、搭載位置によってボディの形状も異なり、複数種類の形状が存在する。各種ボディにより水路構造が異なり、また、金型構造も異なるため、特許文献１に記載されている構造だけでは各種ボディにフィルター手段を設けることはできない、と言う課題がある。
【０００７】
前記頭部３に支持されるノズル２において、フィルター手段を設けることでボディ形状にかかわらず容易にウォッシャーノズルに目詰まり対策を施すことができる。本発明に係るウォッシャーノズルは、このような課題を解決するために提案されたものである。
【課題を解決するための手段】
【０００８】
本発明に係るウォッシャーノズルの上記課題を解決して目的を達成するための要旨は、
洗浄液を噴射口部から噴射するノズルと、該ノズルを支持するとともに前記ノズルに洗浄液を供給する供給路を有する頭部と、該頭部を支持するとともに前記頭部の供給路に連通して洗浄液を供給する管路を有し、ウォッシャーノズル用の取付部位に挿着されて固定されるボディとで構成されるウォッシャーノズルにおいて、前記ノズルにおける噴射用の水路は、前方の噴射口部における水路と、該噴射口部の後方に位置して前記噴射口部における水路と前記頭部の供給路とを連通させる防塵用水路とが設けられてなり、前記防塵用水路は、前記噴射口部における水路に連通する主水路と、該主水路の周囲に前後方向に沿った隔壁で区画されて周方向に配設されるとともに前記主水路と半径方向で連通されている一つまたは複数の補助水路とで構成されていることである。
【０００９】
前記主水路と補助水路とを連通させる連通部の巾の寸法は、噴射口部の口径または巾よりも狭い寸法であることである。
【００１０】
前記主水路と噴射口部とは、いずれか一方が、若しくは、両方共に、複数設けられていることを含むものである。
【００１１】
本発明に係るウォッシャーノズルの上記課題を解決して目的を達成するための要旨は、洗浄液を噴射口部から噴射するノズルと、該ノズルを支持するとともに前記ノズルに洗浄液を供給する供給路を有する頭部と、該頭部を支持するとともに前記頭部の供給路に連通して洗浄液を供給する管路を有し、ウォッシャーノズル用の取付部位に挿着されて固定されるボディとで構成されるウォッシャーノズルにおいて、前記ノズルにおける噴射用の水路は、前方の噴射口部における水路と、該噴射口部の後方に位置して、前記噴射口部における水路と前記頭部の供給路とを連通させるように、周方向に隔壁で区画された複数の補助水路で構成される防塵用水路とでなることである。
【００１２】
前記噴射口部における水路と防塵用水路とを連通させる連通部の巾の寸法は、噴射口部の口径または巾よりも狭い寸法であることを含むものである。
【００１３】
前記噴射口部が複数設けられていることである。
更に、前記ノズルの噴射口部は、洗浄液を直線状に噴射するジェットタイプ、または、洗浄液を左右に扇状に噴射する拡散タイプであることである。
前記防塵用水路を形成する水路部品が、ノズル本体の一部に該ノズル本体とは別物品として嵌合されるものであることである。
【発明の効果】
【００１４】
本発明のウォッシャーノズルによれば、ノズルにおいて噴射口部に洗浄液を供給する供給水路が、防塵用水路であって複数の水路が設けられていて、その一つに異物が詰まることがあっても、他の供給水路により、洗浄液を噴射することができる。また、ウォッシャーノズルの頭部に嵌合させるコンパクトなノズルなので、既存のウォッシャーノズルに適用することが容易である。
【００１５】
前記防塵用水路が、主水路と補助水路との組み合わせの場合、または、主水路が無くて複数の補助水路だけの場合でも、連通部が噴射口部の口径または巾よりも狭い寸法で形成されているので、異物が噴射口部に至らないように保護されている。
【００１６】
一つのノズルにおける噴射口部が複数あっても、前記防塵用水路を経由して洗浄液が流れるので、異物が詰まるような悪影響を受けないものである。防塵用水路部を別部品とすることで、従来のノズルにも組み付けて目詰まりの防止機能を付加することができるという優れた効果を奏するものである。
【図面の簡単な説明】
【００１７】
【図１−Ａ】本発明に係るウォッシャーノズルにおけるノズル２ｄの正面図（Ａ）、側面図（Ｂ）、背面図（Ｃ）、Ｂ−Ｂ線に沿った断面図（Ｄ）、Ａ−Ａ線に沿った断面図（Ｅ）である。
【図１−Ｂ】本発明に係るウォッシャーノズルにおけるノズル２ｄのＸ−Ｘ線に沿った断面図（Ａ）、正面図（Ｂ）、Ｘ−Ｘ線に沿って洗浄液の流れの違いを示す断面図（Ｃ）、（Ｄ）である。
【図２】本発明に係るウォッシャーノズルにおける、ノズル２ｄの連通部２ｇを拡大して示す正面図（Ａ）、補助水路２ｆに異物６が詰まった場合の洗浄液の流れを示す説明図（Ｂ）である。
【図３】同本発明に係るウォッシャーノズルにおける、ノズル２ｄの主水路２ｅに異物６が詰まる様子を示すＸ−Ｘ線に沿った断面図（Ａ）、正面図（Ｂ）である。
【図４】同本発明に係るウォッシャーノズルにおける、ノズル２ｄの補助水路２ｆに異物６が詰まる様子を示すＸ−Ｘ線に沿った断面図（Ａ）、正面図（Ｂ）である。
【図５−Ａ】同本発明に係るウォッシャーノズルにおけるノズル２ｎであり、複数の補助水路２ｆで防塵用水路２ｋを構成し、主水路の無いタイプの実施例を示す、正面図（Ａ）、側面図（Ｂ）、背面図（Ｃ）、Ｂ−Ｂ線に沿った断面図（Ｄ）、Ａ−Ａ線に沿った断面図（Ｅ）、洗浄液７の流れを示すＢ−Ｂ線に沿った断面図（Ｆ）、同洗浄液７の流れを示す正面図（Ｇ）である。
【図５−Ｂ】同本発明に係るウォッシャーノズルにおけるノズル２ｄを、外観部品８と水路部品９とに分けて製造した場合の、全体斜視図（Ａ）、組み立て後のノズル２ｄとなった状態のＸ−Ｘ線に沿った断面図（Ｂ）、同正面図（Ｃ）である。
【図６−Ａ】同本発明に係るノズル２ｍであり、複数の主水路２ｅ，２ｅが設けられた場合の、正面図（Ａ）、側面図（Ｂ）、背面図（Ｃ）、Ｘ−Ｘ線に沿った断面の斜視図（Ｄ）、同Ｘ−Ｘ線に沿った断面図（Ｅ）、別物品で構成した場合の組立の様子を示す斜視図（Ｆ）である。
【図６−Ｂ】本発明に係る他の実施例に係るノズル２ｈの、正面図（Ａ）、側面図（Ｂ）、背面図（Ｃ）、Ｙ−Ｙ線に沿った断面図（Ｄ）である。
【図７】ノズル２ｄの噴射口部の形状が、ジェットタイプの場合のウォッシャーノズル１ａ（Ａ）と、拡散タイプの場合のウォッシャーノズル１ｂ（Ｂ）とにおける、洗浄液の噴射状態を示す説明図である。
【図８】従来例に係るウォッシャーノズル１の正面図（Ａ）と、そのノズル２の正面図（Ｂ）、側面図（Ｃ）、背面図（Ｄ）、Ａ−Ａ線に沿った断面図（Ｅ）とである。
【図９】同従来例に係るノズル２における一つの噴射用の水路２ｃに、異物６が詰まる様子を説明する縦断面図である。
【発明を実施するための形態】
【００１８】
本発明に係るウォッシャーノズルのノズル２ｄは、図１に示すように、噴射用の水路２ｃ（図８（Ｅ）参照）として、噴射口部２ａにおける水路と、メインの主水路２ｅと、その他に該主水路２ｅの周囲で互いに連通させた複数の補助水路２ｆを有してなり、前記主水路２ｅと複数の補助水路２ｆとで防塵用水路２ｋを構成していることである。なお、ウォッシャーノズルにおける頭部とボディは、上述した従来例のウォッシャーノズル１のも
のと同じであるので、重複した説明を省略する。
【実施例１】
【００１９】
本発明に係るウォッシャーノズルの実施例１として、図１−Ａ、図１−Ｂに示すように、洗浄液７を噴射口部２ａから噴射するノズル２ｄと、該ノズル２ｄを支持するとともに前記ノズル２ｄに洗浄液７を供給する供給路を有する頭部３（図８参照）と、該頭部３を支持するとともに前記頭部３の供給路に連通して洗浄液７を供給する管路を有し、ウォッシャーノズル用の取付部位に挿着されて固定されるボディ４（図８参照）とで構成される。
【００２０】
前記ノズル２ｄにおける噴射用の水路２ｃ（図８（Ｅ）参照）は、前方の噴射口部２ａにおける水路と、該噴射口部２ａの後方に位置して前記噴射口部２ａにおける水路と前記頭部３の供給路とを連通させる防塵用水路２ｋとが設けられてなる。
【００２１】
更に、図１−Ｂ（Ａ）に示すように、前記防塵用水路２ｋは、前記噴射口部２ａにおける水路と同軸の主水路２ｅと、該主水路２ｅの周囲に前後方向に沿った隔壁５で区画されて周方向に配設されるとともに前記主水路２ｅと半径方向で連通されている一つまたは複数の補助水路２ｆとで構成されている。なお、前記主水路２ｅは、噴射口部２ａの水路と必ずしも同軸である必要は無く、単に首尾連接して接続されているだけでも良い。
【００２２】
図２（Ａ），（Ｂ）に示すように、前記主水路２ｅと補助水路２ｆとを連通させる連通部２ｇの巾の寸法は、噴射口部２ａの口径（噴射口部２ａの断面形状が円形の場合）または巾（噴射口部２ａが断面形状が矩形状の場合）よりも狭い寸法である。なお、主水路２ｅの口径は、噴射口部２ａの口径若しくは巾の寸法と同じか、または、それ以下である。
【００２３】
前記補助水路２ｆは、前記主水路２ｅの周方向に均等に、同じ形状で配設されているが、これに限定するものでは無く、例えば、この実施例では周方向に均等配置で４箇所であるが、そのほか、図示していないが、３箇所や５箇所などでも良い。また、前記連通部２ｇは、主水路２ｅに対してその前後方向の全長に亘り設けられている必要がなく、噴射口部２ａに近接した側で主水路２ｅの一部に連通するようにして、設けられても良い。
【００２４】
更に、他の実施例として、補助水路２ｆの開口面積（正面側から見た面積）が全て同じである必要は無く、例えば、図示していないが、段階的に小さく、若しくは、大きくなっていくようにすることもできる。
【００２５】
また、連通部２ｇの巾も、それぞれ異なった寸法の巾で形成しても良い。こうすれば、複数の補助水路２ｆが、同じ大きさの異物６（図２（Ｂ）参照）で全部詰まるようなことがなくなるからである。なお、いずれにしても、噴射口部２ａが異物６で詰まらないように、大きくとも、噴射口部２ａの口径若しくは巾よりも小さい寸法とする。
【００２６】
このようなノズル２ｄであれば、図１−Ｂ（Ｃ），（Ｄ）に示すように、洗浄液７がメインの主水路２ｅと、複数の補助水路２ｆとに流れて、更に噴射口部２ａの水路に至るものである。
【００２７】
前記ノズル２ｄの構成により、図３（Ａ），（Ｂ）に示すように、自動車のエンジン室内などに備えられたウォッシャータンクからポンプによって、洗浄液７とともに異物６が混入して流れてきた場合、メインの主水路２ｅに侵入して詰まると、他の補助水路２ｆからの洗浄液７が連通部２ｇから主水路２ｅの前方側に流入し、噴射口部２ａを流れて、前記洗浄液７が外部に噴射される。
【００２８】
また、図４（Ａ），（Ｂ）に示すように、前記異物６が、ノズル２ｄの補助水路２ｆのいずれか一つに侵入して詰まった場合、主水路２ｅと他の補助水路２ｆから洗浄液７が噴射口部２ａに至り、更に、外部へと噴射される。
【００２９】
こうして、ウォッシャーノズルのノズル２ｄにおいて、主水路２ｅの他に複数の補助水路２ｆによって、防塵用水路２ｋが形成されているので、異物６の侵入があっても、洗浄液７の噴射が停止することが無い。よって、自動車の走行中の安全性が確保されるものである。
【実施例２】
【００３０】
ノズルの他の実施例として、図５−Ａに示すように、ノズル２ｎにおける噴射用の水路２ｃは、前方の噴射口部２ａにおける水路と、該噴射口部２ａ後方に位置して、前記噴射口部２ａにおける水路と前記頭部３の供給路とを連通させるように、周方向に隔壁で区画された複数の補助水路２ｆで構成される防塵用水路２ｋとでなる。
【００３１】
このノズル２ｎは、実施例１に存在したメインの主水路２ｅが存在しない実施例である。よって、洗浄液７は、図５−Ａ（Ｆ），（Ｇ）に示すように、複数の補助水路２ｆから噴射口部２ａにおける水路に流れるものである。
【００３２】
この実施例においても、噴射口部２ａにおける水路と防塵用水路２ｋとを連通させる連通部２ｇの巾の寸法は、前記噴射口部２ａの口径または巾よりも狭い寸法である。
【実施例３】
【００３３】
図５−Ｂに示すように、ノズルの防塵用水路２ｋの部分をノズル本体と別物品とすることができる。図５−Ｂ（Ａ）に示すように、ノズル本体の外観部品８と、防塵用水路２ｋ部分の水路部品９を形成し、これを、図５−Ｂ（Ｂ），（Ｃ）に示すように、前記水路部品９を外観部品８に圧入して組立て、ノズル２ｄとするものである。部品数が増加するが、別物品とすることで、補助水路２ｆの数の異なるもの、噴射口部２ａの噴射タイプ（ジェットタイプ、拡散タイプ）の変更などが容易にできるものである。
【実施例４】
【００３４】
他の実施例に係るノズル２ｍは、図６−Ａ（Ａ）〜（Ｅ）に示すように、前方側の一つの噴射口部２ａにおける水路に対して、メインの主水路２ｅ，２ｅが複数有る場合である。複数の主水路２ｅと複数の補助水路２ｆとで防塵用水路２ｋを構成するものである。このように、複数の主水路２ｅ、補助水路２ｆから洗浄液７を噴射口部２ａに供給することができる。なお、図６−Ａ（Ｆ）に示すように、このノズル２ｍを、外観部品８ａと水路部品９ａに分けて形成して、組み立てて合体させるように構成してもよい。異物６による水路詰まりの弊害が、より一層低減されるものである。
【実施例５】
【００３５】
他の実施例に係るノズル２ｈは、図６−Ｂに示すように、噴射口部２ｉ，２ｊを有し、２箇所に噴射口部を設けたものである。自動車のウインドウガラス等の複数箇所に洗浄液７を噴射できるようにしたものである。
【００３６】
更に、前記複数の噴射口部２ｉ，２ｊに対して、それぞれ洗浄液７を供給する主水路２ｅと複数の補助水路２ｆとを設ける。これにより、異物６によって前記主水路２ｅ若しくは補助水路２ｆのいずれか一つがつまっても、他の水路から洗浄液７が供給されて、噴射口部２ｉ，２ｊの詰まりが、それぞれにおいて防止される。よって、前記ウインドウガラス等への複数箇所の洗浄液噴射に、悪影響が生じないものである。
【実施例６】
【００３７】
他の実施例として、図７（Ａ），（Ｂ）に示すように、ノズル１ａ，１ｂにおいて、噴射口部２ａの噴射タイプが異なる場合を示している。防塵用水路２ｋの構造は、上述の各実施例のように形成するとして、噴射口部２ａにおいて、直線性を重視して洗浄液７を噴射することにしたジャットタイプのノズル１ａと、左右扇状で広い範囲に洗浄液を噴射するようにした拡散タイプのノズル１ｂとを、選択できるようにしたものである。
【００３８】
以上のように、ウォッシャーノズルの頭部３に支持されたノズルにおいて、防塵用水路２ｋを形成し、複数の洗浄液が供給される水路を確保したので、噴射口部における水路が確保され、洗浄液７の噴射性能が確保され、自動車運転の安全性が確保されるものである。
【産業上の利用可能性】
【００３９】
本発明に係るウォッシャーノズルは、ノズルにおいて複数の洗浄液用の水路を確保したので、異物の影響を無くし、自動車等に取り付けられた既存のウォッシャーノズルにも直ちに適用できるものである。
【符号の説明】
【００４０】
１，１ａ，１ｂ      本発明に係るウォッシャーノズル、
２                  ノズル、                    ２ａ        噴射口部、
２ｂ                供給水路、                  ２ｃ        噴射用の水路、
２ｄ，２ｈ，２ｍ，２ｎ    ノズル、
２ｅ                主水路、
２ｆ                補助水路、
２ｇ                連通部、
２ｉ，２ｊ          噴射口部、
２ｋ                防塵用水路、
３                  頭部、
４                  ボディ、
５                  隔壁、
６                  異物、
７                  洗浄液、
８，８ａ            外観部品、
９，９ａ            水路部品、
１０                ウインドウガラス。
【図１−Ａ】
2018027720.tif 000003
【図１−Ｂ】
2018027720.tif 000004
【図２】
2018027720.tif 000005
【図３】
2018027720.tif 000006
【図４】
2018027720.tif 000007
【図５−Ａ】
2018027720.tif 000008
【図５−Ｂ】
2018027720.tif 000009
【図６−Ａ】
2018027720.tif 000010
【図６−Ｂ】
2018027720.tif 000011
【図７】
2018027720.tif 000012
【図８】
2018027720.tif 000013
【図９】
2018027720.tif 000014